(57)【要約】【課題】平面検出器の信号処理部へのバッテリからの発熱の影響が少ない、小型で薄型の放射線画像検出装置を提供する。【解決手段】被写体を透過した放射線を検出する複数の素子を平面配置して構成された平面検出器と、平面検出器から出力された信号を処理する信号処理部と、前記平面検出器の辺縁外であって、前記平面検出器の少なくとも１辺に沿って設置された棒状のバッテリにより平面検出器及び信号処理部に電力を供給する電源部と、を有することを特徴とする放射線画像検出装置。【選択図】図３
2008170212.tif 000002
【特許請求の範囲】
【請求項１】
被写体を透過した放射線を検出する複数の素子を平面配置して構成された平面検出器と、
前記平面検出器から出力された信号を処理する信号処理部と、
前記平面検出器の辺縁外であって、前記平面検出器の少なくとも１辺に沿って設置された棒状のバッテリにより前記平面検出器及び前記信号処理部に電力を供給する電源部と、
を有することを特徴とする放射線画像検出装置。
【請求項２】
前記バッテリは、前記平面検出器の四辺それぞれの辺縁外に設置されていることを特徴とする請求項１に記載の放射線画像検出装置。
【請求項３】
前記信号処理部は、前記平面検出器の辺縁内に前記平面検出器と積層された状態で配置されていることを特徴とする請求項１又は２に記載の放射線画像検出装置。
【請求項４】
前記平面検出器と、前記信号処理部と、を電気的に接続する接続部を有し、
前記バッテリは、前記平面検出器と、前記信号処理部と、前記接続部と、に囲まれた空間に設置されていることを特徴とする請求項１乃至３の何れか１項に記載の放射線画像検出装置。
【請求項５】
前記バッテリは巻回されたシート状であることを特徴とする請求項１乃至４の何れか１項に記載の放射線画像検出装置。
【発明の詳細な説明】
【技術分野】
【０００１】
本発明は放射線画像検出装置に関する。
【背景技術】
【０００２】
従来より、医療診断にあっては、被写体にＸ線等の放射線を照射し、当該被写体を透過した放射線の強度分布を検出して得られた放射線画像が広く利用されており、近年では、撮影に際し放射線を検出して電気信号に変換し、放射線画像情報として検出する放射線画像検出装置としてＦＰＤ（Ｆｌａｔ  Ｐａｎｅｌ  Ｄｅｔｅｃｔｏｒ）を用いた放射線画像撮影システムが開発されている。
【０００３】
この放射線画像撮影システムにあっては、システム構成の自由度を向上させる上で、撮影室に配設された放射線画像検出装置を所定の通信回線を介して操作するためのパーソナルコンピュータ等の所定のコンソールと接続して使用するように構成されたものが知られている（例えば、特許文献１参照）。
【０００４】
また、放射線画像検出装置の運搬性・取扱い性の向上を目的としたカセッテ型放射線画像検出装置も提案されている（例えば、特許文献２参照）。さらに、カセッテ型放射線画像検出装置とコンソールとが無線方式により放射線画像の画像データ等の各種情報を通信可能にシステム構成されたものも提案されている（例えば、特許文献３参照）。
【０００５】
このような、カセッテ型放射線画像検出装置の持ち運びを容易にし、撮影時に被写体のどこにでも配置できるようバッテリーで駆動する必要がある。そのため、Ｘ線平面検出部、不揮発性デジタル情報記憶手段、及びバッテリを積層構造になるように構成した放射線画像検出装置が開示されている（例えば、特許文献４参照）。
【０００６】
また、カセッテ型放射線画像検出装置は持ち運び時に誤って落下させてしまうおそれがあるので、筐体の側壁と支持基台の間に緩衝材を配置して衝撃を吸収する放射線画像検出装置が提案されている（例えば、特許文献５参照）。
【特許文献１】特開２００３−１９９７３６号公報
【特許文献２】特開平６−３４２０９９号公報
【特許文献３】特開２００３−２１０４４４号公報
【特許文献４】特許第３３０２１６３号公報
【特許文献５】特開２００１−３４６７８８号公報
【発明の開示】
【発明が解決しようとする課題】
【０００７】
しかしながら、特許文献４に開示されているようにバッテリを積層して配置すると、バッテリの厚みが全体に付加されてしまい、放射線画像検出装置の厚みが増してしまう。また、充電時の発熱により、ＦＰＤや信号処理回路の動作が不安定になったり、温度分布のばらつきにより、画像ムラが生じるという問題がある。
【０００８】
放射線画像検出装置においては、ＦＰＤから撮影画像を読み出し、さらに無線信号に変換して画像データを送信するときに、非常に多くの電力を必要とし、最大連続使用時間に合わせた高容量のバッテリが必要である。そのため、バッテリの容積は大きいものになり、その厚みも大きくなってしまう。
【０００９】
特に、カセッテを使用した撮影時は患者の身体と床面との間に滑り込ませることが多く、カセッテの厚みを厚くすることは許容されない。
【００１０】
さらに、落下時の衝撃を吸収するために、放射線画像検出装置には特許文献５のように緩衝材を設置しなければならないが、このことも装置の大型化につながる。
【００１１】
本発明は、上記課題に鑑みてなされたものであって、平面検出器の信号処理部へのバッテリからの発熱の影響が少ない、小型で薄型の放射線画像検出装置を提供する。
【課題を解決するための手段】
【００１２】
本発明の目的は、下記構成により達成することができる。
【００１３】
１．
被写体を透過した放射線を検出する複数の素子を平面配置して構成された平面検出器と、
前記平面検出器から出力された信号を処理する信号処理部と、
前記平面検出器の辺縁外であって、前記平面検出器の少なくとも１辺に沿って設置された棒状のバッテリにより前記平面検出器及び前記信号処理部に電力を供給する電源部と、
を有することを特徴とする放射線画像検出装置。
【００１４】
２．
前記バッテリは、前記平面検出器の四辺それぞれの辺縁外に設置されていることを特徴とする１に記載の放射線画像検出装置。
【００１５】
３．
前記信号処理部は、前記平面検出器の辺縁内に前記平面検出器と積層された状態で配置されていることを特徴とする１又は２に記載の放射線画像検出装置。
【００１６】
４．
前記平面検出器と、前記信号処理部と、を電気的に接続する接続部を有し、
前記バッテリは、前記平面検出器と、前記信号処理部と、前記接続部と、に囲まれた空間に設置されていることを特徴とする１乃至３の何れか１項に記載の放射線画像検出装置。
【００１７】
５．
前記バッテリは巻回されたシート状であることを特徴とする１乃至４の何れか１項に記載の放射線画像検出装置。
【発明の効果】
【００１８】
本発明によれば、バッテリを平面検出器の辺縁外に配置し、平面検出器からの信号を処理する信号処理部をバッテリから隔離された位置に配置するので、小型、薄型な構成が可能であり、平面検出器の信号処理部へのバッテリからの発熱の影響を少なくすることができる。
【発明を実施するための最良の形態】
【００１９】
以下、本発明による実施の形態について図面を用いて説明する。
【００２０】
図１は、本発明に係わる放射線画像検出装置６を適用した放射線画像撮影システム１の一実施形態の概略構成を示す図である。
【００２１】
本実施形態による放射線画像撮影システム１は、Ｘ線等の放射線を用いて画像撮影を行うシステムであり、図１に示すように、放射線画像撮影に関する情報を管理するサーバ２と、放射線照射に関する操作を行う放射線照射操作装置４と、例えば無線ＬＡＮ（Ｌｏｃａｌ  Ａｒｅａ  Ｎｅｔｗｏｒｋ）等の無線通信方式による通信を行うための基地局５と、撮影室５０を管理し撮影室５０内に設置された放射線画像検出装置６を操作するコンソール７ａ，７ｂとがネットワーク８を通じて接続され相互に情報の送受信が可能となるように構成されている。放射線照射操作装置４にはケーブルを介して、寝台１２上の被写体である患者Ｓに放射線を照射する放射線管球９が接続されている。なお、撮影に用いられる放射線はＸ線に限定されないが、Ｘ線が最も好適に用いられる。撮影にＸ線を用いる場合には、前記放射線管球９としてＸ線を照射するＸ線管球が用いられる。
【００２２】
充電器５１は、放射線画像検出装置６の図１には図示せぬバッテリ４６を充電する充電器である。
【００２３】
コンソール７ａ，７ｂはパーソナルコンピュータであり、ＣＰＵ、メモリ、大容量記憶装置、マウス、表示部８４ａ、８４ｂなどを備える。
【００２４】
撮影者は入力操作端末１８の入力操作部２８を操作して、患者ＳのＩＤ情報など撮影に必要な情報を入力する。入力された情報は通信部２６から基地局５に送信され、コンソール７ａ、７ｂに転送される。
【００２５】
次に、図２を用いて本発明に係わる放射線画像検出装置６について説明する。
【００２６】
なお、以下の説明において、同一の機能要素には同番号を付し、説明を省略する。
【００２７】
図２は本発明に係わる放射線画像検出装置６のブロック図である。
【００２８】
図２のブロック図のように、放射線画像検出装置６は、例えばＦＰＤ４０、タイミングコントローラ４１、信号処理部４２、通信部４３、バッテリ４６、充電回路４５、電源部４４から構成される。
【００２９】
放射線管球９から放射された放射線は患者Ｓを透過し、透過したＸ線はシンチレータ７７で可視光領域の蛍光に変換される。ＦＰＤ４０はマトリクス状に平面配置された図示せぬ検出素子を有する。ＦＰＤ４０の検出素子は例えばフォトダイオードなどから構成されており、各検出素子は蛍光を電気信号に変換する。各検出素子が変換した電気信号は、タイミングコントローラ４１の出力するタイミング信号に従って読み出され、所定の処理を行って画像信号として順次出力される。画像信号は信号処理部４２でデジタル値に変換されて画像データとなり、通信部４３から基地局５に送信される。
【００３０】
なお、本実施形態ではシンチレータ７７を用いる間接変換方式で説明するが、本発明は間接変換方式に限定されるものではなく、直接変換方式にも適用できる。
【００３１】
バッテリ４６はリチウムイオン電池などの充電可能な２次電池や、電気２重層コンデンサなどであり、放射線画像検出装置６の信号処理部４２、ＦＰＤ４０など各部に電源を供給する。充電回路４５は充電器５１から電源の供給を受け、バッテリ４６を所定の電圧まで充電する。充電回路４５はバッテリ４６が所定の電圧に充電されたことを検知すると充電を中止し、過充電を防止する機能を持っている。電源部４４はバッテリ４６から電源の供給を受け、ＦＰＤ４０、信号処理部４２、タイミングコントローラ４１、通信部４３など放射線画像検出装置６の各部に電源を供給する。
【００３２】
ＦＰＤ４０は本発明の平面検出器、信号処理部４２は本発明の信号処理部、電源部４４は本発明の電源部である。
【００３３】
図３は本発明の第１の実施形態における放射線画像検出装置６の構造を説明するための概略図である。図３（ａ）は放射線画像検出装置６の放射線管球９に対向する面側の平面図であり、内部構造の説明のためＦＰＤ４０などを覆う筐体６１の一部を除いた状態を図示している。
【００３４】
図３に示すＸＹＺ３次元直交座標系を適宜用いて、方向および向きを示すこととする。ここで、Ｚ軸方向は放射線画像検出装置６の厚み方向であり、Ｚ軸正方向は放射線管球９の配置されている方向であり、Ｚ軸負方向に放射線が照射される。
【００３５】
放射線画像検出装置６の筐体６１の周囲は、ゴム等の材料から成る緩衝部材８１で構成されている。ＦＰＤ４０は緩衝部材８１の内側に配置され、ＦＰＤ４０と緩衝部材８１の隙間部分にはＦＰＤ４０と回路基板３６とを結ぶＦＰＣ（Ｆｌｅｘｉｂｌｅ  Ｐｒｉｎｔ  Ｃｉｒｃｕｉｔ）３９が配置されている。ＦＰＣ３９は本発明の接続部である。回路基板３６はタイミングコントローラ４１、信号処理部４２、通信部４３、充電回路４５などを搭載した基板である。
【００３６】
図３（ｂ）は図３（ａ）のＡ、Ａで示す部分の断面図である。
【００３７】
図３（ｂ）のように、ＦＰＤ４０の背面（Ｚ軸負方向）には放射線管球９から放射される放射線がＦＰＤ４０を透過して信号処理部４２などが誤動作を起こさないように鉛シート３７を配置し、放射線を遮蔽している。回路基板３６は鉛シート３７の下に配置されている。
【００３８】
ＦＰＣ３９は、図３（ｂ）のように折り曲げ角度が急にならないようにしてＦＰＤ４０と回路基板３６を結線している。棒状のバッテリ４６は、図３（ａ）、（ｂ）に示すように、ＦＰＤ４０の四辺それぞれの辺縁外に設置されている。
【００３９】
このように、バッテリ４６を配置すると筐体６１とＦＰＤ４０との間に設けられたＦＰＣ３９による結線のための空間を有効利用することができ、小型、薄型の実装が可能になる。
【００４０】
また、棒状のバッテリ４６は、図３（ｂ）に示すように、ＦＰＤ４０と、信号処理部４２が搭載された回路基板３６と、本発明の接続部であるＦＰＣ３９と、に囲まれた空間に設置されている。
【００４１】
このように配置すると、熱による影響を受けやすい信号処理部４２が実装された回路基板３６を、バッテリ４６から離して実装できるので、バッテリ４６の発熱の影響を受けることが少ない。また、ケーブルを取り回しする上で必要となる空間にバッテリを収納することができるので、バッテリ４６がＦＰＣ３９の座屈を防止し、外力によるＦＰＣ３９の破損を防止できる。
【００４２】
なお、本実施形態では、バッテリ４６はＦＰＤ４０の四辺それぞれの辺縁外に設置されているが、バッテリ４６を設置しない辺があっても良い。また、図３に示すバッテリ４６の断面形状は円筒状であるが、この形状に限定されるものではなく、四角や三角などどのような形状でも良い。
【００４３】
次に、第２の実施形態について図４、図５を用いて説明する。
【００４４】
図４は第２の実施形態で用いるシート状バッテリの外観図である。
【００４５】
図４に示すシート状のバッテリ４６は、正極シートと負極シートをスパイラル状に巻き回してなる電極体を用いたバッテリであり、例えば特開平９−１６１８４７号公報、特開平１０−２７００７０号公報など、に開示されている。バッテリ４６内部の正極、負極に接続されている正極リード９１、負極リード９２は、電源部４４、充電回路４５に結線される。
【００４６】
図５は本発明の第２の実施形態における放射線画像検出装置６の構造を説明するための概念図である。図３と同様に、図５に示すＸＹＺ３次元直交座標系を適宜用いて、方向および向きを示す。
【００４７】
第２の実施形態と第１の実施形態との違いは、バッテリ４６にシート状バッテリを棒状に巻き回して用いたことである。シート状バッテリを用いた場合も図５（ａ）、（ｂ）のように、バッテリ４６はＦＰＤ４０の四辺それぞれの辺縁外に設置されている。
【００４８】
また、バッテリ４６は、図３（ｂ）に示すように、ＦＰＤ４０と、信号処理部４２が搭載された回路基板３６と、本発明の接続部であるＦＰＣ３９と、に囲まれた空間に設置されている。
【００４９】
バッテリ４６としてシート状バッテリを棒状に巻いて用いると、バッテリ４６の形状を筐体６１と回路基板３６の間の空間に合わせることが容易であり、空間を有効に利用できる。また、巻き回されたシート状バッテリを例えば四辺に配置することによって放射線画像検出装置６が落下した時の衝撃吸収効果が期待できるので、緩衝部材８１を薄くすることができる。
【００５０】
以上このように、本発明によれば、平面検出器の信号処理部へのバッテリからの発熱の影響が少ない、小型で薄型の放射線画像検出装置を提供することができる。
【図面の簡単な説明】
【００５１】
【図１】本発明に係わる放射線画像検出装置６を適用した放射線画像撮影システム１の一実施形態の概略構成を示す図である。
【図２】本発明に係わる放射線画像検出装置６のブロック図である。
【図３】本発明の第１の実施形態における放射線画像検出装置６の構造を説明するための概略図である。
【図４】第２の実施形態で用いるシート状バッテリの外観図である。
【図５】本発明の第２の実施形態における放射線画像検出装置６の構造を説明するための概念図である。
【符号の説明】
【００５２】
１  放射線画像撮影システム
２  サーバ
４  放射線照射操作装置
６  放射線画像検出装置
７  コンソール
８  ネットワーク
４０  ＦＰＤ
４１  タイミングコントローラ
４２  信号処理部
４３  通信部
４４  電源部
４５  充電回路
４６  バッテリ
５１  充電器
６１  筐体
【図１】
2008170212.tif 000003
【図２】
2008170212.tif 000004
【図３】
2008170212.tif 000005
【図４】
2008170212.tif 000006
【図５】
2008170212.tif 000007